(57)【要約】【課題】主電源が停止したときに、この主電源から生成された表示電圧（ＶＬＣＤ）を確実に放電させる。【解決手段】主電源電圧（ＶＤＤ）を昇圧して表示電圧（ＶＬＣＤ）と中間電圧（ＶＸ２）を出力し、主電源電圧が所定のレベルよりも低いときに電源停止信号を発生し（１０Ｂ）、表示電源線（２）をグランド電源線（４）に短絡する（５１）。電源停止信号に応じて、短絡部（５１）の制御端子（ＮＥ）を中間電源線（３）に導通させ、さらにダイオード（６２）により、表示電源線（２）に導通させることで、電源停止時における短絡部（５１）の電位を表示電源線（２）よりも高く保つ。これにより、表示電源線（２）の放電を確実にする。【選択図】図５
2011133907.tif 000002
【特許請求の範囲】
【請求項１】
主電源電圧を伝える主電源線と、
前記主電源電圧よりも低いグランド電圧を伝えるグランド電源線と、
前記主電源電圧を昇圧して表示電圧を発生し、表示電源線に表示電圧を出力する表示電圧生成部とを有する表示装置のためのパワーダウンショート回路であって、
前記表示電圧生成部が、前記主電源電圧と前記表示電圧の間の中間的な昇圧電圧を、中間電源線に出力し、
前記主電源線に接続され、前記主電源電圧が所定のレベルよりも高いときに第１の状態を有し、前記主電源電圧が前記所定のレベルよりも低いときに第２の状態を有する電源停止信号を発生する電源変動検出部と、
制御端子を有し、前記制御端子に印加される電圧に応じて、前記表示電源線をグランド電源線に接続する短絡部と、
前記電源停止信号が前記第１の状態のときに前記短絡部の前記制御端子を、グランド電源線に接続し、前記電源停止信号が前記第２の状態のときに前記短絡部の前記制御端子を、前記中間電源線に導通させる制御部と、
前記中間電源線に接続されたアノードと、前記表示電源線に接続されたカソードとを有するダイオードとを備え、
前記制御部が、前記中間電源線及び前記グランド電源線から電源供給を受け、前記電源停止信号を反転する第１のインバータを有することを特徴とするパワーダウンショート回路。
【請求項２】
前記ダイオードが前記表示電圧生成部内の寄生ダイオードであることを特徴とする請求項１に記載のパワーダウンショート回路。
【請求項３】
前記制御部が前記第１のインバータと前記短絡部の前記制御端子の間に接続された第２のインバータをさらに有し、
前記第２のインバータが前記中間電源線及び前記グランド電源線から電源供給を受ける
ことを特徴とする請求項１に記載のパワーダウンショート回路。
【請求項４】
前記電源変動検出部が、
ノードと、
前記ノードと前記中間電源線の間に接続された抵抗と、
前記主電源線に接続された制御端子を有し、前記ノードと前記グランド電源線の間に接続された第１のトランジスタと、
前記ノードと前記グランド電源線の間に接続されたキャパシタと
を備えたことを特徴とする請求項１に記載のパワーダウンショート回路。
【請求項５】
前記電源変動検出部が、前記主電源線に接続された制御端子を有し、前記抵抗と前記ノードの間に接続された第２のトランジスタをさらに有し、前記第１のトランジスタと前記第２のトランジスタが互いに相補的な導電型を有することを特徴とする請求項４に記載のパワーダウンショート回路。
【発明の詳細な説明】
【技術分野】
【０００１】
本発明は、パワーダウンショート回路に関し、例えば液晶装置（ＬＣＤ）等において、表示装置への電源供給が断たれたときに、異常な表示が行われるのを防ぐためのパワーダウンショート回路に関する。
【背景技術】
【０００２】
近年のＬＣＤは一般にチャージポンプを用いた内蔵の電源回路を有し、これにより、例えば３Ｖと言う、比較的低いロジック系電源電圧から、例えば１２Ｖと言う比較的高い電圧を生成している。この高電圧を分圧して種々の値の電圧が生成され、分圧により生成された電圧が、液晶パネルの個々の画素に印加され、これにより画像データに応じた階調の明度或いは濃度を表現している。ＬＣＤの電源がオン、オフされると、画像データが不安定となる。そこで、内蔵の電源回路において、予め定められたシーケンスの動作が行われ、これにより意図しない高電圧が液晶パネルに印加されないようにしている。
【０００３】
しかし、停電が起きたり、遮断器が動作したり、電池の電圧が規定値以下に低下したりすると、予め定めた電源オン又は電源オフのシーケンスが実行されないことがある。このような場合、チャージポンプ回路内のキャパシタが高電圧を保持しており、これが表示パネルに印加され、異常な表示が行われることがある。この異常な表示は、自然放電により電荷がなくなるまで続く。電源供給が断たれた後に高電圧が印加され続けると、液晶を劣化させる原因ともなる。
【０００４】
そこで、内蔵の電源回路は、主電源ＶＣＣが停止したときに、チャージポンプを放電させる回路を含んでいる。図１は、特許文献１に記載された、そのような回路の一例を示す。
【先行技術文献】
【特許文献】
【０００５】
【特許文献１】特開２００３−２９５８４１号公報
【０００６】
この回路は、それぞれセグメントドライバ５１２−１及びコモンドライバ５１２−２から出力される、ＬＣＤ駆動電圧Ｖ１及びＶ５を保持するキャパシタ５３１、５３５を放電させるものであり、電荷放出回路５６０と、電圧検出回路５７０と、電圧引き抜き回路５８０とを有する。
【０００７】
電圧検出回路５７０は、グランド（ＧＮＤ）と、抵抗５７１を介して主電源電圧ＶＣＣを受けるノードＮ１との間に接続されたキャパシタ５７４を有する。キャパシタ５７４の役割は、電源が停止した後も暫くの間ノードＮ１をＶＣＣレベルに近い値に維持することである。電圧検出回路５７０はまた、インバータ６００を有する。このインバータ６００は、グランドとノードＮ１の間に接続されたものであり、ＰＭＯＳトランジスタ５７２と、ＮＭＯＳトランジスタ５７３とを含む。これらのＰＭＯＳトランジスタ５７２及びＮＭＯＳトランジスタ５７３のゲートには、主電源電圧ＶＣＣが供給されている。
【０００８】
電圧引き抜き回路５８０は、抵抗５８１と、ＮＭＯＳトランジスタ５８２とを有する。抵抗５８１とＮＭＯＳトランジスタ５８２は、電源ＶＣＣとグランドの間に直列接続されている。電荷放出回路５６０は、ＮＭＯＳトランジスタ５６１及び５６５を有する。これらのソースは、グランドに接続され、ドレインはキャパシタ５３１及び５３５に接続されている。ＮＭＯＳトランジスタ５８２、５６１及び５６５のゲートは、インバータ６００の出力を受けるように接続されている。
【０００９】
この回路において、主電源がオンであり、ＶＣＣがＮＭＯＳトランジスタ５７３の閾値電圧よりも高いときは、インバータ６００の出力は低レベル（グランドレベル）であり、従って、ＮＭＯＳトランジスタ５６１及び５６５はオフしている。
【００１０】
主電源が断たれると、ＶＣＣがグランドレベルに向けて低下するが、キャパシタ５７４に蓄積された電荷のため、ノードＮ１は通常のＶＣＣレベル（例えば３Ｖ）の近辺に維持される。このため、ＰＭＯＳトランジスタ５７２がオンし、インバータ６００の出力が高レベルとなる。従って、ＮＭＯＳトランジスタ５６１及び５６５がオンとなり、キャパシタ５３１及び５３５の放電を開始する。ＮＭＯＳトランジスタ５８２もオンとなるため、主電源は放電され、ＶＣＣは急速に低下する。高電圧Ｖ１及びＶ２は、十分に早く低下して、ＬＣＤパネルに異常な表示がなされるのを防ぎ、液晶の劣化を防ぐ。
【発明の概要】
【発明が解決しようとする課題】
【００１１】
図１に示された従来の回路の問題は、キャパシタ５３１及び５３５が放電されるとき、放電用トランジスタ５６１及び５６５のゲートの電位も低下し、急速に低下しているＶＣＣレベルに近づくことである。この結果、駆動電圧Ｖ１及びＶ５がグランドレベルに達する前に放電用トランジスタがオフとなる可能性がある。駆動電圧の最終的レベルは、図１に示された抵抗、キャパシタ、及びトランジスタのパラメータに依存する。しかし、もしも放電用トランジスタの閾値電圧が高ければ（その方が、サブスレッショールド漏れ電流を防ぐ観点からは、望ましい）、放電用トランジスタがオフとなったときに、駆動電圧は約１Ｖ程度となる。この結果、表示に望ましくないぼんやりとした像の表示が続く。
【００１２】
本発明は、主電源が急に停止したときにも、主電源を昇圧することにより発生された表示用の電圧を確実に放電させるパワーダウンショート回路を提供することを目的とする。
【課題を解決するための手段】
【００１３】
本発明のパワーダウンショート回路は、
主電源電圧を伝える主電源線と、
前記主電源電圧よりも低いグランド電圧を伝えるグランド電源線と、
前記主電源電圧を昇圧して表示電圧を発生し、表示電源線に表示電圧を出力する表示電圧生成部とを有する表示装置のためのパワーダウンショート回路であって、
前記表示電圧生成部が、前記主電源電圧と前記表示電圧の間の中間的な昇圧電圧を、中間電源線に出力し、
前記主電源線に接続され、前記主電源電圧が所定のレベルよりも高いときに第１の状態を有し、前記主電源電圧が前記所定のレベルよりも低いときに第２の状態を有する電源停止信号を発生する電源変動検出部と、
制御端子を有し、前記制御端子に印加される電圧に応じて、前記表示電源線をグランド電源線に接続する短絡部と、
前記電源停止信号が前記第１の状態のときに前記短絡部の前記制御端子を、グランド電源線に接続し、前記電源停止信号が前記第２の状態のときに前記短絡部の前記制御端子を、前記中間電源線に導通させる制御部と、
前記中間電源線に接続されたアノードと、前記表示電源線に接続されたカソードとを有するダイオードとを備え、
前記制御部が、前記中間電源線及び前記グランド電源線から電源供給を受け、前記電源停止信号を反転する第１のインバータを有することを特徴とする。
【発明の効果】
【００１４】
本発明によれば、主電源が急に停止したときにも、主電源を昇圧することにより発生された表示用の電圧を確実に放電させることができる。
【図面の簡単な説明】
【００１５】
【図１】ＬＣＤ駆動電圧を放電するための従来の放電回路を示す回路図である。
【図２】本発明の実施の形態１のパワーダウンショート回路を示す回路図である。
【図３】ＰＭＯＳトランジスタの断面図である。
【図４】図２の回路の動作を示す信号波形図である。
【図５】本発明の実施の形態２のパワーダウンショート回路を示す回路図である。
【図６】図５の回路の動作を示す信号波形図である。
【図７】本発明の実施の形態３のパワーダウンショート回路を示す回路図である。
【図８】図２の回路の変形例を示す回路図である。
【発明を実施するための形態】
【００１６】
本発明の実施の形態につき、添付の図面を参照して説明する。添付の図面において、同一の符号は同一又は類似の素子を示す。
【００１７】
実施の形態１．
図２に示すように、実施の形態１のパワーダウンショート回路は、電源変動検出部１０と、インバータ２０と、制御部３０と、遅延部４０と、短絡部５０とを有する。電源変動検出部１０は、主電源電圧ＶＤＤ（例えば、３Ｖ）を伝える主電源線１に接続されている。主電源電圧ＶＤＤはＬＣＤを駆動する論理回路（図示しない）にも供給される。電源変動検出部１０とパワーダウンショート回路の他の部分は、表示電圧生成部を構成するチャージポンプ７０によって生成された液晶駆動電圧ＶＬＣＤ（例えば１２Ｖ）を伝える表示電源線２と、基準電圧即ちグランド電圧ＶＳＳ（０Ｖ）を伝えるグランド電源線４にも接続されている。
【００１８】
電源変動検出部１０は、抵抗１１と、ＮＭＯＳトランジスタ１２と、キャパシタ１３とを有し、ＶＤＤレベルの急速な低下を検出する。抵抗１１の一端は、表示電源線２に接続され、他端はノードＮＡに接続されている。ＮＭＯＳトランジスタ１２は、ドレインがノードＮＡに接続され、ソースがグランド電源線４に接続され、ゲート（制御端子）が主電源線１に接続されている。キャパシタ１３が、ノードＮＡとグランド電源線４の間に接続され、雑音抑制素子として作用する。
【００１９】
インバータ２０は、ＰＭＯＳトランジスタ２１とＮＭＯＳトランジスタ２２とを有し、電源変動検出部１０内のノードＮＡから出力電圧（電源停止信号）を、入力信号として受ける。ＰＭＯＳトランジスタ２１は、ＮＭＯＳトランジスタ２２よりも大きなトランスコンダクタンス（相互コンダクタンス）を有するように設計され、これにより、インバータ２０のスイッチングポイント（閾値）が電源線電圧（ＶＬＣＤ／２）の１／２よりも大きくなるようにしてある。抵抗１１の抵抗値が十分に大きく、これにより、通常の動作でＮＭＯＳトランジスタ１２がオン状態になっている時に電源変動検出部１０の出力レベルがインバータ２０のスイッチングポイントよりも十分に低くなるようにしてあり、これにより雑音による誤動作を少なくしている。
【００２０】
制御部３０は、ノードＮＢでインバータ２０の出力を受け、ノードＮＣから制御信号を出力する。ノードＮＢの入力が高レベルのとき、ノードＮＣの出力は低レベルである。ノードＮＢの入力が高レベルから低レベルに変わると、ノードＮＣは、所定の期間高レベルに駆動され、その後、高インピーダンス状態となる。
【００２１】
制御部３０は、インバータ３１と、遅延（ＤＬＹ）部３２と、二入力否定論理積ゲート（ＮＡＮＤゲート）３３と、ＰＭＯＳトランジスタ３４と、ＮＭＯＳトランジスタ３５と、寄生ダイオード３６とを有する。インバータ３１は、ノードＮＢの信号を反転する。遅延部３２は、ノードＮＢの信号を所定時間遅延させる。ＮＡＮＤゲート３３は、インバータ３１から反転信号と、遅延部３２から遅延信号を受ける。ＰＭＯＳトランジスタ３４は、ゲート（制御端子）がＮＡＮＤゲート３３の出力端子に接続され、ソース（第１の電流端子）が表示電源線２に接続され、ドレイン（第２の電流端子）がノードＮＣに接続されている。ＮＭＯＳトランジスタ３５は、ドレイン（第１の電流端子）がノードＮＣに接続され、ソース（第２の電流端子）がグランド電源線４に接続され、ゲート（制御端子）がノードＮＢに接続されており、従って、インバータ２０の出力により制御される。
【００２２】
遅延部３２としては、抵抗とキャパシタから成る遅延回路や、縦続接続された偶数段のゲートから成る回路が用いられる。インバータ３１、遅延部３２、及びＮＡＮＤゲート３３は、表示電源線２から、図示しない分岐電源線を介して、液晶駆動電圧ＶＬＣＤを電源として受ける。寄生ダイオード３６は、電圧降下素子として機能するものであり、図３に示すように、ＰＭＯＳトランジスタ３４のｐ型のドレイン領域とｎ型の基板の間に形成された寄生素子である。ｎ型の基板は表示電源線２に接続され、ＶＬＣＤ電位に保持されており、寄生ダイオード３６は、図２に示されるように、ＰＭＯＳトランジスタ３４のドレインと表示電源線２の間に接続されたダイオードと等価である。
【００２３】
遅延部４０は、ノードＮＣとノードＮＤの間に接続された抵抗４１と、ノードＮＤとグランド電源線４の間に接続されたキャパシタ４２とから成る積分回路である。ノードＮＣの信号は、ノードＮＤに伝達されるが、この伝達には、抵抗４１及びキャパシタ４２の抵抗値及び静電容量値によって決まる遅延を伴う。
【００２４】
短絡部５０は、ＮＭＯＳトランジスタ５１を含み、その電流端子（ドレイン及びソース）は、それぞれ表示電源線２及びグランド電源線４に接続され、ゲート（制御端子）は、ノードＮＤに接続されている。ＮＭＯＳトランジスタ５１は、ノードＮＤの信号に応じて、表示電源線２とグランド電源線４の間の電荷を放電する。ＮＭＯＳトランジスタ５１の代わりに、ＮＭＯＳ及びＰＭＯＳトランジスタが並列に接続されたアナログスイッチを短絡部５１として用いても良い。
【００２５】
次に、図２に示す回路の動作を、図４の信号波形図を参照して説明する。
【００２６】
主電源線１の主電源電圧ＶＤＤが所定のレベルよりも高いときは、ＮＭＯＳトランジスタ１２は、オン状態にあり、ノードＮＡの電圧レベルは低い。インバータ２０は、ノードＮＢを高レベルに駆動し、ＰＭＯＳトランジスタ３４をオフ状態にし、ＮＭＯＳ３５をオン状態にし、ノードＮＣ及びＮＤの電圧レベルは低くされる。この結果、ＮＭＯＳトランジスタ５１はオフ状態であり、表示電源線２からグランド電源線４へ電荷を放電することはなく、表示電源線２は、チャージポンプ７０で発生された液晶駆動電圧ＶＬＣＤを、液晶パネルに供給する。
【００２７】
電源が停止し、電源電圧ＶＤＤが所定のレベルよりも低くなると、ＮＭＯＳトランジスタ１２はオフ状態となり、そのドレイン電圧（ノードＮＡの電源停止信号電圧レベル）は高レベルとなる。インバータ２０はこの変化を検出し、ノードＮＢを低レベルに駆動する。
【００２８】
制御部３０において、ノードＮＢが低レベルになると、ＮＭＯＳトランジスタ３５はオフ状態となり、インバータ３１の出力は高レベルとなる。遅延部３２の出力は所定の時間高レベルに維持された後、低レベルとなる。この結果、ＮＡＮＤゲート３３の出力（ＰＭＯＳトランジスタ３４のゲートに供給される）は、所定の時間低レベルとなり、その後高レベルに戻る。インバータ３１、遅延部３２及びＮＡＮＤゲート３３は、電源停止信号が低レベルから高レベルに変化したときに、低レベルのパルス（所定時間だけ低レベルとなるパルス）を発生するパルス発生器として機能する。
【００２９】
従って、電源停止信号が高レベルになったとき、ＰＭＯＳトランジスタ３４は、所定の時間オン状態となり、その間にノードＮＣは表示電源線２に電気的に接続される。この間、キャパシタ４２（ノードＮＤ）は、液晶駆動電圧ＶＬＣＤに近い値に充電される。ＰＭＯＳトランジスタ３４は、その後オフ状態となり、ノードＮＣは高インピーダンス状態となり、表示電源線２に逆バイアスされた寄生ダイオード３６を介してのみ接続された状態となる。
【００３０】
ノードＮＤの電圧が高レベルとなると、ＮＭＯＳトランジスタ５１はオン状態となり、表示電源線２の液晶駆動電圧ＶＬＣＤを、グランド電源線４に放電し始める。ノードＮＤは、元のＶＬＣＤレベルに近い値に充電されているので、表示電源線２の電位が落ち始めると、寄生ダイオード３６は、順方向にバイアスされるようになり、ノードＮＤが抵抗４１及び寄生ダイオード３６を介して放電し始める。ノードＮＤの電位が表示電源線２の電位よりも、寄生ダイオード３６の順方向電圧即ちオン電圧だけ大きくなったときに、ノードＮＤの放電が始まる。ノードＮＤの電位と表示電源線２の電位は、この関係を維持しながら、低下する。従って、ノードＮＤの電圧が、ＮＭＯＳトランジスタ５１の閾値電圧Ｖｔｈにほぼ等しい値まで下がり、放電が終わったときに、表示電源線２の電圧は、Ｖｔｈ−Ｖｏｎ（約０．１乃至０．５Ｖ）よりも低い値まで低下する。
【００３１】
実施の形態１のパワーダウンショート回路は、表示電源線２を、図１の従来の回路よりも、低い値まで放電させることができ、最終的に放電されたＶＬＣＤレベルが放電トランジスタの閾値電圧よりも十分に（少なくともＶｏｎだけ）低い値にする。
【００３２】
実施の形態１の変形例として、インバータ２０が通常のインバータスイッチングポイント（ＶＬＣＤ／２）を有し、インバータ２０のトランジスタ２１及び２２のトランスコンダクタンスがより高いスイッチングポイントを有するように調整されないようにすることもできる。実施の形態１の他の変形例として、制御部３０の回路構成を種々に変更することができる。
【００３３】
実施の形態２．
図５に示される実施の形態２のパワーダウンショート回路は、電源変動検出部１０Ａと、縦続接続された一対のインバータ２０Ａ及び６１と、ダイオード６２と、ＮＭＯＳトランジスタ５１と、表示電圧生成部即ちチャージポンプ７０とを有する。チャージポンプ７０は、ＶＤＤ電源電圧（例えば３Ｖ）を昇圧して、液晶駆動電圧ＶＬＣＤ（例えば１２Ｖ）を発生する。液晶駆動電圧ＶＬＣＤは、表示電源線２に供給される。チャージポンプ７０はまた、ＶＤＤとＶＬＣＤの間の値を有する昇圧された電圧ＶＸ２（例えば６Ｖ）を発生し、これを中間電源線３に供給する。
実施の形態２では、インバータ６１が、電源停止信号が低レベル状態のときに短絡部の制御端子を、グランド電源線に接続し、電源停止信号が高レベル状態のときに短絡部の制御端子を、電圧降下素子（３６、６２）を介して表示電源線（２）に接続する制御部として機能する。
【００３４】
例えば、チャージポンプ７０が３段構成のものであり、ＶＤＤ入力を順次昇圧して、２×ＶＤＤ、３×ＶＤＤ、４×ＶＤＤ（＝ＶＬＣＤ）を生成するものであれば、第１段の出力（２×ＶＤＤ）を、ＶＸ２として利用することができる。
【００３５】
電源変動検出部１０Ａ及びインバータ２０Ａは、それぞれ図２の電源変動検出部１０及びインバータ２０Ａと同じ構成を有する。但し、電源変動検出部１０Ａ及びインバータ２０Ａは、中間電源線３から電源供給を受け、（液晶駆動電圧ＶＬＣＤではなく）中間昇圧電圧ＶＸ２によって動作する。インバータ２０Ａの出力を反転するインバータ６１もまた、中間昇圧電圧ＶＸ２で動作し、ＮＭＯＳトランジスタ５１のゲートを駆動する。ＮＭＯＳトランジスタ５１は、ドレイン及びソースがそれぞれ表示電源線２及びグランド電源線４に接続されており、オン状態になったとき、表示電源線２からの電荷をグランド電源線４に放電させる。
【００３６】
ダイオード６２は、アノードが中間電源線３に接続され、カソードが表示電源線２に接続される。ダイオード６２は、別個の素子として設けることもできるが、本実施の形態では、チャージポンプ７０内に寄生素子として存在するものを用いている。例えば、ダイオード６２は、中間電圧ＶＸ２が出力されるノードと、液晶駆動電圧ＶＬＣＤが出力されるノードの間に接続されたアナログスイッチ内のＰＭＯＳトランジスタのドレイン領域と基板（表示電源線２に接続されている）によって形成された寄生ダイオードであっても良い。
【００３７】
次に、図５の回路の動作を、図６の信号波形図を参照して説明する。
【００３８】
主電源線１の供給電圧ＶＤＤが所定のレベルよりも高いときは、ＮＭＯＳトランジスタ１２はオン状態にあり、ノードＮＡの電圧は低レベルであり、インバータ２０Ａの出力が高レベルであり、インバータ６１の出力は低レベルである。その結果、ＮＭＯＳトランジスタ５１はオフ状態であり、表示電源線２とグランド電源線４の間で電荷の放電が行われず、チャージポンプ７０により発生された液晶駆動電圧ＶＬＣＤは、表示電源線２上で維持され、そこから液晶パネルに供給される。
【００３９】
電源が停止し、電源電圧ＶＤＤが所定のレベルよりも低くなると、ＮＭＯＳトランジスタ１２はオフ状態となり、ドレイン電圧（ノードＮＡの電源停止信号）は高レベルとなる。インバータ２０Ａは、電源停止信号におけるこの変化を検出し、低論理レベル（ＶＳＳ）を出力する（出力の論理レベルを低レベルにする）。これにより、インバータ６１が駆動され、その出力（ノードＮＥ）が高レベル（ＶＸ２）となる。
【００４０】
ノードＮＥの電圧レベルが高レベルになると、ＮＭＯＳトランジスタ５１はオン状態となり、表示電源線２の液晶駆動電圧ＶＬＣＤをグランド電源線４へ放電し始める。最初、ＶＬＣＤがＶＸ２よりも高いので、ダイオード６２は逆バイアスされており、中間電源線３は、昇圧された電圧ＶＸ２を（変化させることなく）保持する。
【００４１】
表示電源線２上の電圧レベルが、昇圧された電圧ＶＸ２よりも低くなると、ダイオード６２が順方向にバイアスされる。中間電源線３は、ダイオード６２及びＮＭＯＳトランジスタ５１を介してグランド電源線４に放電し始め、図６に示すようにＶＸ２及びＶＬＣＤがともに低下する。ＶＸ２は、ＶＬＣＤよりも、少なくともダイオード６２のオン電圧Ｖｏｎだけ高い値に維持される。ノードＮＥの電圧レベル（ＮＭＯＳトランジスタ５１のゲート電圧）は、ＮＭＯＳトランジスタ５１のドレイン電圧よりも高い値に維持され、実施の形態１と同様、液晶駆動電圧ＶＬＣＤがグランドレベルＶＳＳに近い値に低下するのを可能にする。中間電源線３が十分にゆっくりと放電すれば、ＮＭＯＳトランジスタ５１は、表示電源線２が略完全に放電するまで、オン状態に保たれ、これにより、図６に示すように、ＶＬＣＤが実際にＶＳＳレベルに達することを可能にする。
【００４２】
実施の形態２では、電源変動検出部１０Ａ及びインバータ２０Ａ、６１が（表示電源線２ではなく）中間電源線３から電源供給を受け、放電過程の最後の段階において、中間電源線３が表示電源線２よりも高い電位に維持されるので、実施の形態２でも実施の形態１と同様の効果が得られる。しかも、実施の形態１で用いているより複雑な制御部及び遅延回路の代わりに簡単なインバータ６１を設けるだけで良い。
【００４３】
実施の形態３．
図７に示される実施の形態３のパワーダウンショート回路は、図５の電源変動検出部１０Ａとは少し異なる電源変動検出部１０Ｂを有する。電源変動検出部１０Ｂは抵抗１１とノードＮＡの間に接続されたＰＭＯＳトランジスタ１４を有する。ＰＭＯＳトランジスタ１４のゲート（制御端子）は、主電源線１に接続されており、電源電圧ＶＤＤによって制御される。電源変動検出部１０Ｂ内のＮＭＯＳトランジスタ１２とキャパシタ１３は図５におけるものと同じである。インバータ２０Ａ、６１及びＮＭＯＳトランジスタ５１も、図５におけるものと同じである。
【００４４】
通常動作中において、電源電圧ＶＤＤが例えば３Ｖであれば、ＰＭＯＳトランジスタ１４はオフ状態か、或いはせいぜいかろうじてオンと言う状態であり、抵抗１１を流れる電流は、抵抗１１における電圧降下がＶＸ２−ＶＤＤ−Ｖｔｈｐ（ＶｔｈｐはＰＭＯＳトランジスタ１４の閾値電圧）に略等しくなるようなレベルのきわめて小さなものである。ＮＭＯＳトランジスタ１２は完全にオンであり、ノードＮＡの電圧がＶＳＳレベルに保たれる。
【００４５】
電源が停止し、電源電圧ＶＤＤがグランドレベルに落ちると、ＮＭＯＳトランジスタ１２はオフ状態となり、ＰＭＯＳトランジスタ１４は完全にオンとなり、キャパシタ１３（ノードＮＡ）は抵抗１１を介してＶＸ２レベルに充電される。それ以降の動作は図５の回路と同じである。
【００４６】
上記のように、実施の形態２の効果に加え、実施の形態３のパワーダウンショート回路は、通常動作時の電力消費が少ないという利点がある。ＰＭＯＳトランジスタ１４が、その閾値電圧ＶｔｈｐがＶＸ２−ＶＤＤよりも大きくなるように形成されれば、通常動作時における抵抗１１を流れる電流をゼロにすることができ、通常動作時の電力消費を略ゼロにすることができる。
【００４７】
実施の形態１の電源変動検出部１０にも、図８に示すように同様のＰＭＯＳトランジスタ１４を付加することにより、電力消費を少なくすることができる。
【００４８】
当業者には、本発明の範囲内で、更なる変形を加える得ることが理解できよう。
以下に、本発明の種々の特徴を要約して記載する。
【００４９】
（１）  主電源電圧を伝える主電源線と、前記主電源電圧よりも低いグランド電圧を伝えるグランド電源線と、前記主電源電圧を昇圧して表示電圧を発生し、表示電源線に表示電圧を出力する表示電圧生成部とを有する表示装置のためのパワーダウンショート回路であって、
前記主電源線に接続され、前記主電源電圧が所定のレベルよりも高いときに第１の状態を有し、前記主電源電圧が前記所定のレベルよりも低いときに第２の状態を有する電源停止信号を発生する電源変動検出部と、
制御端子を有し、前記制御端子に印加される電圧に応じて、前記表示電源線をグランド電源線に接続する短絡部と、
前記電源停止信号が前記第１の状態のときに前記短絡部の前記制御端子を、グランド電源線に接続し、前記電源停止信号が前記第２の状態のときに前記短絡部の前記制御端子を、電圧降下素子を介して前記表示電源線に接続する制御部と
を備えたパワーダウンショート回路。
【００５０】
（２）  前記短絡部が、前記表示電源線に接続された第１の電流端子と、グランド電源線に接続された第２の電流端子と、前記制御端子を構成するゲートとを有するトランジスタを含むことを特徴とする上記（１）に記載のパワーダウンショート回路。
【００５１】
（３）  前記電圧降下素子がダイオードであることを特徴とする上記（１）に記載のパワーダウンショート回路。
【００５２】
（４）  前記ダイオードが寄生ダイオードであることを特徴とする上記（３）に記載のパワーダウンショート回路。
【００５３】
（５）  前記制御部が、
前記電源停止信号が前記第１の状態のときに前記制御部が、前記グランド電圧を前記短絡部の前記制御端子に供給し、
前記電源停止信号が前記第１の状態から前記第２の状態に変化したときに、所定の時間前記表示電圧を前記短絡部の前記制御端子に供給し、前記所定の時間の経過後に、前記短絡部の前記制御端子を高インピーダンス状態にする
ことを特徴とする上記（１）に記載のパワーダウンショート回路。
【００５４】
（６）  前記制御部が、
前記電源停止信号が前記第１の状態から前記第２の状態に変化したときにパルスを発生するパルス発生部と、
前記パルス発生部から前記パルスを受ける制御端子と、前記表示電源線及び前記短絡部の前記制御端子に接続された電流端子とを有する第１のトランジスタと、
前記電源停止信号により制御され、前記グランド電源線及び前記短絡部の前記制御端子に接続された電流端子を有する第２のトランジスタと
を備えることを特徴とする上記（５）に記載のパワーダウンショート回路。
【００５５】
（７）  前記第１のトランジスタがドレイン領域及び基板を有し、前記基板が前記表示電源線に接続されており、前期電圧降下素子が前記ドレイン領域及び前記基板で形成された寄生ダイオードから成ることを特徴とする上記（６）に記載のパワーダウンショート回路。
【００５６】
（８）  さらに、
前記制御部と前記短絡部の前記制御端子の間に接続された抵抗と、
前記グランド電源線と、前記短絡部の前記制御端子の間に接続されたキャパシタと
を有する上記（５）に記載のパワーダウンショート回路。
【００５７】
（９）  さらに、前記電源変動検出部と、前記制御部の間に接続されたインバータを有し、
前記インバータが、前記表示電源線及びグランド電源線から電源の供給を受けることを特徴とする上記（５）に記載のパワーダウンショート回路。
【００５８】
（１０）  前記インバータが、前記グランド電圧よりも前記表示電圧により近いスイッチングポイントを有することを特徴とする上記（９）に記載のパワーダウンショート回路。
【００５９】
（１１）  前記電源変動検出部が、
ノードと、
前記ノード及び前記表示電源線に接続された抵抗と、
前記主電源線に接続された制御端子を有し、前記ノードと前記グランド電源線の間に接続された第１のトランジスタと、
前記ノードと前記グランド電源線の間に接続されたキャパシタと
を有する上記（５）に記載のパワーダウンショート回路。
【００６０】
（１２）  前記電源変動検出部が、前記主電源線に接続された制御端子を有し、前記抵抗と前記ノードの間に接続された第２のトランジスタをさらに有し、
前記第２のトランジスタ及び前記第１のトランジスタが互いに
相補的な導電型を有することを特徴とする上記（１１）に記載のパワーダウンショート回路。
【００６１】
（１３）  前記電圧生成部が、前記主電源電圧と前記表示電圧の間の中間的な昇圧電圧を、中間電源線に出力し、
前記制御部が、前記中間電源線及び前記グランド電源線から電源供給を受け、前記電源停止信号を反転する第１のインバータを有することを特徴とする上記（１）に記載のパワーダウンショート回路。
【００６２】
（１４）  前記電圧降下素子が、前記中間電源線に接続されたアノードと、前記表示電源線に接続されたカソードとを有するダイオードであることを特徴とする上記（１３）に記載のパワーダウンショート回路。
【００６３】
（１５）  前記ダイオードが前記電圧生成部内の寄生ダイオードであることを特徴とする上記（１４）に記載のパワーダウンショート回路。
【００６４】
（１６）  前記制御部が前記第１のインバータと前記短絡部の前記制御端子の間に接続された第２のインバータをさらに有し、
前記第２のインバータが前記中間電源線及び前記グランド電源線から電源供給を受ける
ことを特徴とする上記（１３）に記載のパワーダウンショート回路。
【００６５】
（１７）  前記電源変動検出部が、
ノードと、
前記ノードと前記中間電源線の間に接続された抵抗と、
前記主電源線に接続された制御端子を有し、前記ノードと前記グランド電源線の間に接続された第１のトランジスタと、
前記ノードと前記グランド電源線の間に接続されたキャパシタと
を備えたことを特徴とする上記（１３）に記載のパワーダウンショート回路。
【００６６】
（１８）  前記電源変動検出部が、前記主電源線に接続された制御端子を有し、前記抵抗と前記ノードの間に接続された第２のトランジスタをさらに有し、前記第１のトランジスタと前記第２のトランジスタが互いに相補的な導電型を有することを特徴とする上記（１７）に記載のパワーダウンショート回路。
【符号の説明】
【００６７】
１  主電源線、  ２  表示電源線、  ３  中間電源線、  ４  グランド電源線、  １０，１０Ａ，１０Ｂ  電源変動検出部、  １１  抵抗、  １２，５１  ＮＭＯＳトランジスタ、  １４  ＰＭＯＳトランジスタ、  ２０，２０Ａ，６１  インバータ、  ３０  制御部、  ４０  遅延部、  ５０  短絡部、  ６２  ダイオード、  ７０  チャージポンプ。
【図１】
2011133907.tif 000003
【図２】
2011133907.tif 000004
【図３】
2011133907.tif 000005
【図４】
2011133907.tif 000006
【図５】
2011133907.tif 000007
【図６】
2011133907.tif 000008
【図７】
2011133907.tif 000009
【図８】
2011133907.tif 000010